(57)【要約】【課題】携帯電話を利用して遠隔位置から撮像を行う電子カメラ装置、遠隔撮影方法及び遠隔撮影システムの提供。【解決手段】集合写真や撮影者が離れた位置から撮影しようとする場合に、撮影者はカメラ３をリモート撮影モードにして撮影アングル及びピント合わせを行うと共に、携帯電話機２をカメラの近くに置き、カメラから離れた後、携帯電話機１から携帯電話機２にダイヤルすると、カメラ３は、遠隔制御判定部６０で携帯電話機２の着信を検知すると、合焦後、撮影タイミングの到来をまってシャッター駆動部１１３を動作させて撮像を行う。【選択図】  図１
2004214862.tif 000002
【特許請求の範囲】
【請求項１】
近接して置かれる携帯電話機の着信を検知する手段と、
前記着信を検知する手段が着信を検知したとき撮影タイミングを判別する手段と、
前記判別する手段により判別された撮影タイミングで撮影処理を実行する撮影手段と、
を備えたことを特徴とする電子カメラ装置。
【請求項２】
前記判別手段が判別する撮影タイミングは、前記着信検知から所定時間連続して着信状態が継続したときであることを特徴とする請求項１に記載の電子カメラ装置。
【請求項３】
前記判別手段が判別する撮影タイミングは、前記着信検知から所定時間連続して着信状態が継続し、且つ前記着信検知から所定時間経過後に着信が終了したときであることを特徴とする請求項１に記載の電子カメラ装置。
【請求項４】
更に、自動合焦手段を備え、前記判別手段が撮影タイミングを判別したときに、該自動合焦手段が自動合焦処理を実行するとともに、前記撮影手段が撮影処理を実行することを特徴とする請求項１乃至３のいずれか１項に記載の電子カメラ装置。
【請求項５】
カメラの遠隔撮影方法であって、
カメラにおいて撮影待機状態に設定されるステップと、
第１の携帯電話機において前記カメラに近接して置かれている第２の携帯電話機に発信を行うステップと、
前記カメラにおいて撮影待機中に、前記近接しておかれている第２の携帯電話を検知するステップと、
前記カメラにおいて前記第２の携帯電話機への着信を検知したとき撮影タイミングの到来の有無を判定するステップと、
前記カメラにおいて撮像タイミングが到来したときシャッター動作を行って撮像を行うステップと、
を具備したことを特徴とする遠隔撮影方法。
【請求項６】
カメラの遠隔撮影システムであって、
カメラと、撮影者が保持する第１の携帯電話と、該カメラに近接して置かれる第２の携帯電話機とを含み、
前記カメラは、前記第２の携帯電話機の着信を検知する手段と、
前記着信を検知する手段が着信を検知すると、撮影処理を実行する手段を備え、
前記第１の携帯電話機から前記第２の携帯電話機を呼び出すことによって前記カメラに撮影処理を行わせることを可能としたことを特徴とする遠隔撮影システム。
【請求項７】
撮影者が所持する第１の携帯電話機から被写体画像の循環的取り取りみを行うカメラに近接して置かれている第２の携帯電話機にダイヤルまたはメール送信を行い、
前記カメラ側で撮影待機中に、
前記第２の携帯電話機への着信を検知して、撮影タイミングの到来の有無を判定し、撮影タイミングが到来したときシャッター動作を行って撮像を行い、ユーザによる遡及指示操作があると、前記取り込んだ被写体画像を遡及表示し、遡及表示された被写体画像のいずれかを撮像画像として選択する、
ことを特徴とする遠隔撮影方法。
【請求項８】
撮影開始時に被写体画像を取り込んでスルー画像表示し、撮影者の指示により前記スルー画像表示された被写体のフォーカス部分の拡大像または全体拡大像を表示し、ピントやブレ等の画像状態の確認を行ってからカメラを定置し、
撮影者が所持する第１の携帯電話機から前記カメラに近接させて置いた第２の携帯電話機にダイヤルまたはメール送信を行い、
カメラ側で撮影待機中に、
前記第２の携帯電話機への着信を検知して撮影タイミングの到来の有無を判定し、撮影タイミングが到来したときシャッター動作を行って撮像を行う、
ことを特徴とする遠隔撮影方法。
【請求項９】
前記撮影タイミングは、前記第２の携帯電話機への着信検知から所定時間着信状態が継続したときであることを特徴とする請求項７または８のいずれか１項に記載の遠隔撮影方法。
【請求項１０】
前記撮影タイミングは、前記第２の携帯電話機への着信検知から所定時間着信状態が継続し、且つ着信検知から所定時間経過後に着信が終了したときであることを特徴とする請求項７または８のいずれか１項に記載の遠隔撮影方法。
【請求項１１】
表示部と、合焦手段とを備えた電子カメラ装置であって、
所定の時間間隔で取込まれる被写体画像を直ちに前記表示部に表示するスルー画像表示手段と、ｎ個の画像記憶領域を含むメモリと、所定の時間間隔で取込まれる被写体画像を順次前記メモリのｎ個の領域に循環させて取込む画像取込手段と、
撮影待機中に、撮影者が所持する第１の携帯電話機から前記カメラに近接して置かれている第２の携帯電話機への着信を検知し、着信信号を出力する着信検知手段と、
前記着信検知手段からの着信検知信号を基に撮影タイミングの到来の有無を判定する着信タイミング判定手段と、
前記撮影タイミングが到来するとシャッターを動作させて撮像を行わせる撮像指示手段と、
ユーザの操作によりトリガを発する切替え手段と、
前記トリガにより、前記スルー画像表示手段によるスルー画像表示または前記シャッター動作による撮影画像表示を、前記メモリから所定時間前の画像を順次読み出して表示する画像遡及表示に切替える表示切替え手段と、
前記スルー画像表示および画像遡及表示時にシャッター操作が行なわれた場合、該操作時に表示されていた画像を保存記録する画像記録手段と
を備えたことを特徴とする電子カメラ装置。
【請求項１２】
被写体画像を取り込んで画像表示すると共に、所望のタイミングで取り込んだ被写体画像を記録媒体に記録するフォーカス機構を備えた電子カメラ装置において、
取り込んだ被写体画像のフォーカス位置に相当する画像部分を拡大して表示するフォーカス位置拡大表示手段と、
撮影待機中に、撮影者が所持する第１の携帯電話機から前記カメラに近接して置かれている第２の携帯電話機への着信を検知し、着信信号を出力する着信検知手段と、
前記着信検知手段からの着信検知信号を基に撮影タイミングの到来の有無を判定する着信タイミング判定手段と、
前記撮影タイミングが到来するとシャッターを動作させて撮像を行わせる撮像指示手段と、
を備えたことを特徴とする電子カメラ装置。
【発明の詳細な説明】
【０００１】
【発明の属する技術分野】
本発明は、カメラ等の撮像装置にかかわる遠隔撮像技術に関する。
【０００２】
【従来の技術】
集合写真や撮影者から離れたところで撮影を行う場合、セルフタイマーやリモートコントロールでシャッターを切るのが一般的である。しかし、セルフタイマーはセッティングが面倒であるし、シャッターを切るタイミングが限定される。また、普通の普及型デジタルカメラは一般にリモートコントロール機能までは備えていない。更に、リモートコントロール機能は指向性があると共に到達距離に限界がある。
ここで、誰もが常時携帯している携帯電話をカメラの遠隔撮影に利用できれば好適である。
【０００３】
従来技術として、カメラ自体に電話をかけて撮影をする方法がある（例えば、特許文献１）。また、リモートコントロールを使用することなくカメラのシャッターを切る方法として被写体の動きを検出するもの（例えば、特許文献２）がある。更に、カメラに触れずにズーミングやフレーミングを行うカメラがある（例えば、特許文献３）。
また、先行技術として携帯電話の着信を検出して物体を動かす方法がある（例えば、特許文献４）。
【０００４】
【特許文献１】
特開２００１−２５８０２２号公報
【特許文献２】
特開平１１−３５５６４０号公報
【特許文献３】
特開２０００−１０１８９８号公報
【特許文献４】
特開２０００−５９８３７号公報
【０００５】
【発明が解決しようとする課題】
しかしながら、特許文献１に開示の技術ではカメラに携帯電話機能を設けなけばならないし、携帯電話としての登録・契約をしなければならないといった不都合がある。
【０００６】
また、上記特許文献２に開示の技術では被写体の動きを検出する必要があるが、動き検出は高度な技術であり、普及型のカメラに内蔵するにはコストが掛かりすぎるといった問題点がある。
【０００７】
また、拍手などの音に反応してシャッターを切るカメラも知られているが、音検出回路を設けなければならない点と、周囲の雑音で誤動作する可能性があるといった問題点がある。
【０００８】
更に、上記特許文献３に開示の技術では、アイ・グラスディスプレイと高度な画像処理が必要であり、特許文献２の場合と同様、普及型のカメラに内蔵するにはコストが掛かりすぎるといった問題点がある。
【０００９】
また、特許文献４に開示の技術は、携帯電話の着信を携帯電話の所持者に直ちに報知するための報知手段を動作させる技術であり、カメラの遠隔撮像の場合のように被撮影者の注目を集めるために一定時間経過後にシャッターを動作させることはできないといった問題点のほか、誤動作や、近くの人にかかってきた電話に反応する可能性があるといった問題点がある。
【００１０】
本発明は、上記課題の解決のためになされたものであり、携帯電話を利用して遠隔位置から撮影を行う遠隔撮影方法及び電子カメラ装置の提供を目的とする。
【００１１】
【課題を解決するための手段】
上記課題を解決するために、請求項１記載の発明では、近接して置かれる携帯電話機の着信を検知する手段と、着信を検知する手段が着信を検知したとき撮影タイミングを判別する手段と、判別する手段により判別された撮影タイミングで撮影処理を実行する撮影手段と、を備えたことを特徴とする電子カメラ装置を提供するものである。これにより、日常一般的に持ち歩いている携帯電話を用いてカメラの遠隔撮影を実現することができる。
【００１２】
請求項２記載の発明では、判別手段が判別する撮影タイミングは、着信検知から所定時間連続して着信状態が継続したときであることを特徴とする請求項２に記載の電子カメラ装置を提供するものである。これにより、カバンの中で電話がかかってきた場合や、関係ない第三者からかかってきた電話で誤って撮影してしまったりすることを防止できる。
【００１３】
請求項３記載の発明では、判別手段が判別する撮影タイミングは、着信検知から所定時間連続して着信状態が継続し、且つ着信検知から所定時間経過後に着信が終了したときであることを特徴とする請求項１に記載の電子カメラ装置を提供するものである。これにより、明確に意図した場合だけ撮影を可能とし、誤動作を防止することができる。
【００１４】
請求項４記載の発明では、更に、自動合焦手段を備え、判別手段が撮影タイミングを判別したときに、該自動合焦手段が自動合焦処理を実行するとともに、撮影手段が撮影処理を実行することを特徴とする請求項１乃至３のいずれか１項に記載の電子カメラ装置を提供するものである。
【００１５】
請求項５記載の発明では、カメラの遠隔撮影方法であって、カメラにおいて撮影待機状態に設定されるステップと、第１の携帯電話機においてカメラに近接して置かれている第２の携帯電話機に発信を行うステップと、カメラにおいて撮影待機中に、近接しておかれている第２の携帯電話を検知するステップと、カメラにおいて第２の携帯電話機への着信を検知したとき撮影タイミングの到来の有無を判定するステップと、カメラにおいて撮像タイミングが到来したときシャッター動作を行って撮像を行うステップと、を具備したことを特徴とする遠隔撮影方法を提供するものである。これにより、日常一般的に持ち歩いている携帯電話等を用いて遠隔撮影をする方法を提供できる。
【００１６】
請求項６記載の発明では、カメラの遠隔撮影システムであって、カメラと、撮影者が保持する第１の携帯電話と、該カメラに近接して置かれる第２の携帯電話機とを含み、カメラは、第２の携帯電話機の着信を検知する手段と、着信を検知する手段が着信を検知すると、撮影処理を実行する手段を備え、第１の携帯電話機から第２の携帯電話機を呼び出すことによってカメラに撮影処理を行わせることを可能としたことを特徴とする遠隔撮影システムを提供するものである。これにより、日常一般的に持ち歩いている携帯電話等を用いて遠隔撮影をする方法を提供できる。
【００１７】
請求項７記載の発明では、撮影者が所持する第１の携帯電話機から被写体画像の循環的取り取りみを行うカメラに近接して置かれている第２の携帯電話機にダイヤルまたはメール送信を行い、カメラ側で撮影待機中に、第２の携帯電話機への着信を検知して、撮影タイミングの到来の有無を判定し、撮影タイミングが到来したときシャッター動作を行って撮影を行い、ユーザによる遡及指示操作があると、取り込んだ被写体画像を遡及表示し、遡及表示された被写体画像のいずれかを撮影画像として選択する、ことを特徴とする遠隔撮影方法を提供するものである。これにより、カメラの遠隔撮影を可能にするとともに、シャッターチャンスを遡及する方法を提供できる。
【００１８】
請求項８記載の発明では、撮影開始時に被写体画像を取り込んでスルー画像表示し、撮影者の指示によりスルー画像表示された被写体のフォーカス部分の拡大像または全体拡大像を表示し、ピントやブレ等の画像状態の確認を行ってからカメラを定置し、撮影者が所持する第１の携帯電話機からカメラに近接させて置いた第２の携帯電話機にダイヤルまたはメール送信を行い、カメラ側で撮影待機中に、第２の携帯電話機への着信を検知して撮影タイミングの到来の有無を判定し、撮影タイミングが到来したときシャッター動作を行って撮影を行う、ことを特徴とする遠隔撮影方法を提供するものである。これにより、カメラの遠隔撮影を可能にするとともに、被写体の拡大像を表示しピントやブレなどを確認できる。
【００１９】
請求項９記載の発明では、撮影タイミングは、第２の携帯電話機への着信検知から所定時間着信状態が継続したときであることを特徴とする請求項７または８のいずれか１項に記載の遠隔撮影方法を提供するものである。これにより、カバンの中で電話がかかってきた場合や、関係ない第三者からかかってきた電話で誤って撮影してしまったりすることを防止できる。
【００２０】
請求項１０記載の発明では、撮影タイミングは、第２の携帯電話機への着信検知から所定時間着信状態が継続し、且つ着信検知から所定時間経過後に着信が終了したときであることを特徴とする請求項７または８のいずれか１項に記載の遠隔撮影方法を提供するものである。これにより、明確に意図した場合だけ撮影を可能とし、誤動作を防止することができる。
【００２１】
請求項１１記載の発明では、表示部と、合焦手段とを備えた電子カメラ装置であって、所定の時間間隔で取込まれる被写体画像を直ちに表示部に表示するスルー画像表示手段と、ｎ個の画像記憶領域を含むメモリと、所定の時間間隔で取込まれる被写体画像を順次メモリのｎ個の領域に循環させて取込む画像取込手段と、撮影待機中に、撮影者が所持する第１の携帯電話機からカメラに近接して置かれている第２の携帯電話機への着信を検知し、着信信号を出力する着信検知手段と、着信検知手段からの着信検知信号を基に撮影タイミングの到来の有無を判定する着信タイミング判定手段と、撮影タイミングが到来するとシャッターを動作させて撮像を行わせる撮像指示手段と、ユーザの操作によりトリガを発する切替え手段と、トリガにより、スルー画像表示手段によるスルー画像表示またはシャッター動作による撮影画像表示を、メモリから所定時間前の画像を順次読み出して表示する画像遡及表示に切替える表示切替え手段と、スルー画像表示および画像遡及表示時にシャッター操作が行なわれた場合、該操作時に表示されていた画像を保存記録する画像記録手段とを備えたことを特徴とする電子カメラ装置を提供するものである。これにより、日常一般的に持ち歩いている携帯電話を用いて遠隔で自動焦点撮影をすることができる。
【００２２】
請求項１２記載の発明では、被写体画像を取り込んで画像表示すると共に、所望のタイミングで取り込んだ被写体画像を記録媒体に記録するフォーカス機構を備えた電子カメラ装置において、取り込んだ被写体画像のフォーカス位置に相当する画像部分を拡大して表示するフォーカス位置拡大表示手段と、撮影待機中に、撮影者が所持する第１の携帯電話機からカメラに近接して置かれている第２の携帯電話機への着信を検知し、着信信号を出力する着信検知手段と、着信検知手段からの着信検知信号を基に撮影タイミングの到来の有無を判定する着信タイミング判定手段と、撮影タイミングが到来するとシャッターを動作させて撮像を行わせる撮像指示手段と、を備えたことを特徴とする電子カメラ装置を提供するものである。これにより、日常一般的に持ち歩いている携帯電話を用いて遠隔で自動焦点撮影をすることができるとともに、被写体の拡大像を表示しピントやブレなどを確認できる。
【００２３】
【発明の実施の形態】
１．遠隔撮影方法の概要
図１は本発明の遠隔撮影方法の説明図であり、遠隔撮像は撮影者が所持している携帯電話機（第１の携帯端末）１とカメラ３及びカメラ３に近接して置かれた携帯電話機２（第２の携帯端末）を用いて行う。ここでは携帯電話機という用語を用いているが、特定の方式を指すものではなく、ＰＨＳ、ＧＳＭ、ＣＤＭＡ、通信機能を備えたＰＤＡ、等を含む通信端末の意である。また、カメラという用語はデジタル、アナログ、スチル、動画などを含む所謂撮像装置の意である。
【００２４】
まず、集合写真や撮影者が離れた位置から撮影しようとする場合に、撮影者はカメラ３をリモート撮影モードにして撮影アングル及びピント合わせを行なって定置すると共に、携帯電話機２をカメラの近くに置き、カメラから離れた後、携帯電話機１から携帯電話機２にダイヤルする。カメラ３は、図２に示すような遠隔制御判定部６０で携帯電話機２の着信を検知すると、合焦後、撮影タイミングの到来をまってシャッター駆動部１１３を動作させて撮像を行う。
【００２５】
２．カメラの構成
図２は、本発明の電子カメラ装置の一実施例の構成例を示すブロック図であり、デジタルカメラを例としている。
デジタルカメラ３は、光学系１１、信号変換部１２、信号処理部１３、作業用メモリ（ＤＲＡＭ）１４、制御部２０、操作部３０、表示部４０、画像記録用メモリ（フラッシュメモリ）５０及び遠隔制御判定部６０（図３）を備えている。
【００２６】
光学系１１は、撮像レンズ１１１、図示しない自動絞り機構および注目被写体との距離により撮像レンズ１１１を移動させて合焦動作を行なう自動合焦機構（オートフォーカス機構）１１２と、リモート撮影モード時に遠隔制御判定部６０からの駆動指示信号を基にシャッターを駆動するシャッター駆動部１１３等を含み、撮像レンズ１１１を介して集光された被写体像の光束を後段の撮像素子（ＣＣＤ）上に結像させる。信号変換部１２は、ＣＣＤおよび信号変換回路等を含み、前段の光学系１１を介してＣＣＤに結像した画像を電気信号に変換し、デジタルデータに変換して一定の周期で出力する。
【００２７】
信号処理部１３は、信号変換部１２からの出力を処理して、デジタルの輝度、色差マルチプレクス信号（ＹＵＶデータ）等の信号成分を得て、ＹＵＶデータを作業用メモリ１４に転送すると共に表示部４０にスルー画像表示する。また、記録保存の際には作業用メモリ１４に書込まれているＹＵＶデータを読み出してＪＰＥＧ圧縮処理を施して記録用メモリ５０に記録し、再生時には記録用メモリに記録されていた画像データに伸張処理を施してＹＵＶデータを再生する。
【００２８】
制御部２０は図示しないＣＰＵ、ＲＡＭ、プログラム格納用ＲＯＭおよびタイマー等を有したマイクロプロセッサ構成を有しており、ＣＰＵは、上述の各回路および図示しない電源切換えスイッチ等にバスラインを介して接続し、プログラム格納用ＲＯＭに格納されている制御プログラムによりデジタルカメラ３全体の制御を行なうと共に、操作部３０からの状態信号に対応してデジタルカメラ３の各機能の実行制御等を行なう。また、プログラム格納用ＲＯＭには制御プログラムや、デジタルカメラ３の各処理モードに対応する処理用プログラムの他、リモート撮影モード実行に必要な遠隔撮像プログラムが格納されている。
【００２９】
制御部２０はルモート撮影モード時に、遠隔撮像プログラムにより遠隔撮像制御を行なう。
また、制御部２０はリモート撮影モード時に、遠隔撮像判定部６０で設定される撮影タイミングフラグを調べ、撮影タイミングフラグがオンの場合にシャッター駆動信号をシャッター駆動部１１３に送出し、撮像を行わせる。
【００３０】
操作部３０は機能選択用ボタン、メインスイッチ、処理モード選択ボタン３５及びシャッターボタン３６、切替えボタン等のスイッチやボタンを構成部分としており、これらのスイッチ或いはボタンが操作されると状態信号が制御部２０に送出される。なお、処理モード選択ボタンの選択肢の一つとしてリモート撮影モード設定が選択・設定可能に構成されている。
【００３１】
表示部４０はビデオエンコーダ、ＶＲＡＭおよび液晶画面（ＬＣＤ）等から構成されており、撮像時のスルー画像および再生時の再生画像、処理選択時の選択用メニューやガイド（或いはアイコン）等を液晶画面上に表示する。
【００３２】
図３は遠隔制御判定部６０の構成例を示すブロック図であり、遠隔制御判定部６０は携帯電話機２への着信を検知する着信検知部６１と着信検知部６２による携帯電話機２への着信検知により撮影タイミング到来の有無を判定し、撮影タイミングが到来した場合には撮像フラグをオンにする撮影タイミング判定部６２からなる。
【００３３】
着信検知部６１は携帯電話機２への着信に応答して発生する応答信号を受信するアンテナ６１１と、アンテナ６１１に接続し、アンテナ６１１により受信された着信電波（応答信号）を検波して着信パターン信号を発生する電波検知部６１２と、電波検知部６１２で発生させ着信パターン信号を制御部２０のＣＰＵが認識可能なレベルまで増幅する増幅器６１３を備えている。
【００３４】
撮影タイミング判定部６２は、増幅器６１３から着信パターン信号が送られると、所定の撮影タイミングの到来の有無を調べ、撮影タイミングが到来すると撮影タイミングフラグをオンにする。
撮影タイミングは、▲１▼着信から所定時間経過したとき、▲２▼着信検知から所定時間経過後に着信が終了（ダイヤル呼出が停止）したとき、▲３▼増幅器６１３から出力される着信パターン信号を所定回数継続して検知したとき、等のいずれかをデジタルカメラの機能設定時に選択設定できる。なお、製造時にいずれか１つに固定しておいてもよい。
【００３５】
なお、実施例では撮影タイミング判定部６２をプログラム（遠隔撮像プログラム）で構成し、着信検知部６１から増幅された入力信号または着信パターン信号が制御部２０のＣＰＵに送られると、ＣＰＵは遠隔撮影プログラムに基き図４に示すフローチャートに従って撮影タイミングの有無を判定し、撮影タイミングが到来した場合には撮影タイミングフラグをオンにするように構成したが、撮影タイミング判定部はハードウエア回路で構成してもよい。
【００３６】
図４は撮影タイミング判定部の動作例を示すフローチャートであり、図４（ａ）は着信から所定時間経過したときを撮影タイミングとした場合の動作例、図４（ｂ）は着信の終了時を撮影タイミングとした場合の動作例、図４（ｃ）は着信音（＝呼出音）所定回継続してあった場合を撮影タイミングとした場合の動作例を示す。なお、図４（ａ）のステップＳ１〜Ｓ５、図４（ｂ）のステップＴ１〜Ｔ６、図４（ｃ）のステップＵ１〜Ｕ７はそれぞれ遠隔撮像指示プログラムによる制御部の動作に相当する。
【００３７】
４．動作例１（図４（ａ））
デジタルカメラ３が電源オンとなると、制御部２０は表示部４０に処理モード選択を促すメッセージを表示する。そこで、撮影者は処理モード選択ボタン３５を操作して所望の処理モードを選択するので、制御部２０は、処理モード選択ボタン３５の操作結果を調べ、ルモート撮影モードが選択された場合にはステップＳ１に遷移し、そうでない場合には選択された他の処理モードの実行プログラムに遷移する（ステップＳ０）。
【００３８】
次に、着信検知部６１によって携帯電話機２への着信が検知され、増幅された入力信号または着信パターン信号が制御部２０に送られると（ステップＳ１）、制御部２０は制御信号を自動合焦機構１１２に送出して自動合焦を開始させる（ステップＳ２）。
【００３９】
次に、制御部２０は予め設定されている時間を時間カウンタに設定し（ステップＳ３）、時間カウンタから所定時間ｔ（実施例では、ｔ＝１秒）を差し引いて時間カウンタをカウントダウンし（ステップＳ４）、時間カウンタの値を調べ、時間カウンタの値が０になった場合はステップＳ６に進み、時間カウンタの値＞０の場合はステップＳ４に戻る（ステップＳ５）。
【００４０】
時間カウンタの値が０になった場合は撮影タイミングが到来したものとして撮影タイミングフラグをオンにする（ステップＳ６）。
なお、上記図４（ａ）のステップＳ２はカメラが自動合焦機能を備えていない場合は省略する。
【００４１】
上記図４（ａ）のフローチャートの構成により、ステップＳ１で着信があると自動合焦を開始させ、撮影タイミングが到来すると撮影タイミングフラグをオンにする。したがって、制御部は後述するように、合焦後、撮影タイミングフラグがオンの場合に撮像を行わせることができるので携帯電話機を利用してピントの合った遠隔撮像を行うことができる。
【００４２】
また、着信検知から所定時間経過した後に撮像フラグをオンにするのでカメラと携帯電話機を一緒に鞄に入れたときのように鞄の中で誤動作したり、たまたまかかってきた電話に反応するようなことはない。
【００４３】
５．動作例２（図４（ｂ）
本フローチャートのステップＴ０〜Ｔ３は図４（ａ）のステップＳ０〜Ｓ３の動作と同様であり、図示を省略する。
【００４４】
制御部２０は、時間カウンタから所定時間ｔ（実施例では、ｔ＝１秒）を差し引いて時間カウンタをカウントダウンし（ステップＴ４）、時間カウンタの値を調べ、時間カウンタの値が０になった場合はステップＴ６に進み、時間カウンタの値＞０の場合はステップＴ４に戻る（ステップＴ５）。
【００４５】
次に、制御部２０は着信検知部６１からの入力信号または着信パターン信号の出力間隔を調べ、信号の出力が所定時間の間に行われない場合（つまり、着信信号が終了した場合＝携帯電話機１からのダイヤル呼出が停止した場合）にはステップＴ７に進み、信号の出力が所定時間間隔で行われている場合はステップＴ４に戻る（ステップＴ６）。次に、信号の出力が所定時間の間に行われない場合は、撮影タイミングが到来したものとして撮影タイミングフラグをオンにする（ステップＴ７）。なお、上記図４（ｂ）のステップＴ２はカメラが自動合焦機能を備えていない場合は省略する。
【００４６】
上記図４（ｂ）のフローチャートの構成により、上記図４（ａ）のフローチャートでの動作と同様の効果を得ることができる。また、着信検知から所定時間経過した後に着信が終了したときに撮像フラグをオンにするので、たまたまかかってきてすぐ切れたような電話に反応するようなことはない。
【００４７】
６．動作例３（図４（ｃ））
デジタルカメラ３が電源オンとなると、制御部２０は表示部４０に処理モード選択を促すメッセージを表示する。そこで、撮影者は処理モード選択ボタン３５を操作して所望の処理モードを選択するので、制御部２０は、処理モード選択ボタン３５の操作結果を調べ、撮像モードが選択された場合にはステップＵ１に遷移し、そうでない場合には選択された他の処理モードの実行プログラムに遷移する（ステップＵ０）。
【００４８】
次に、着信検知部６１によって携帯電話機２への着信が検知され、増幅された入力信号または着信パターン信号が制御部２０に送られると（ステップＵ１）、制御部２０は制御信号を自動合焦機構１１２に送出して自動合焦を開始させる（ステップＵ２）。次に、制御部２０は予め設定されている着信回数（＝呼出回数）を回数カウンタに設定する（ステップＵ３）。
【００４９】
制御部２０は着信検知部６１からの着信パターン信号（呼出信号）の立ち上がりと立下りから１信号パターン（呼出１回分の信号）の終了の有無を調べ（ステップＵ４）、１信号パターンが終了すると回数カウンタから１を差し引き（ステップＵ５）、回数カウンタの値を調べ、回数カウンタの値が０になった場合はステップＵ７に進み、回数カウンタの値＞０の場合はステップＵ４に戻る（ステップＵ６）。
【００５０】
回数カウンタの値が０になった場合は撮影タイミングが到来したものとして撮影タイミングフラグをオンにする（ステップＵ７）。
なお、上記図４（ａ）のステップＵ２はカメラが自動合焦機能を備えていない場合は省略する。
【００５１】
上記図４（ｃ）のフローチャートの構成により、上記図４（ａ）のフローチャートでの動作と同様の効果を得ることができる。また、所定回数継続して着信音（呼出音）が鳴った場合に撮像フラグをオンにするのでカメラと携帯電話機を一緒に鞄に入れたときのように鞄の中で誤動作したり、たまたまかかってきた電話に反応するようなことはない。
【００５２】
７．撮像部側の動作例
図５は上記図４に示した動作により、制御部から制御信号及び撮像指示信号を受け取った撮像部側の動作例を示すフローチャートである。
【００５３】
自動合焦機構１１２は、制御部２０から制御信号を受け取ると（ステップＶ０）、自動合焦動作を開始し、制御部２０にレンズ移動信号を送る（ステップＶ１）、制御部２０は自動合焦機構１１２からのレンズ移動信号を受け取って合焦したか否かを調べ、合焦した場合はステップＶ３に進み、合焦していない場合には合焦を待つ。なお、この間シャッター操作はロックされる（ステップＶ２）。合焦した場合には自動合焦機構１１２に制御信号を送って撮像レンズ１１１の移動を停止させ合焦動作を終了させ、ステップＶ４に進む（ステップＶ３）。
【００５４】
合焦の場合、制御部２０は撮影タイミング判定部６０が撮影タイミングフラグをオンにしたか否かを調べ、撮影タイミングフラグがオンの場合にはステップＶ５に遷移し、オフの場合は撮影タイミングフラグがオンになるまで待つ（ステップＶ４）。
【００５５】
撮影タイミングフラグがオンの場合にはシャッター駆動部１１３に撮像指示信号を送出してシャッター３６の全押し動作を行わせ、撮像を行う（ステップＶ５）。
【００５６】
制御部２０は上記ステップＶ６でシャッター全押しがされたときに作業用メモリ１４に記憶されている画像を圧縮（例えば、ＪＰＥＧ圧縮）して画像記憶用メモリ（フラッシュメモリまたはメモリカード）５０に記憶する（ステップＶ６）。
【００５７】
８．応用例１
デジタルカメラ等の電子カメラ装置では撮像時にシャッターチャンスを逃してしまったりシャッターチャンスを誤ったりして、シャッター操作をした後で撮像画像を見るとタイミングがずれていることがしばしばある。
【００５８】
前述した遠隔撮影方法（図４）では撮影タイミングをカメラに近接して置かれた携帯電話機の着信検知時に自動合焦を開始し、また、撮影タイミングの有無を判定して撮影タイミングが到来するとシャッターを動作させて撮像を行うようにしているが、時間によって位置や形状等が変化する被写体を撮像する場合には撮像時にシャッタータイミングがずれる可能性がある。本実施例は、そのような場合にシャッターチャンスを遡及させることができる遠隔撮影方法及び電子カメラ装置に係わる。
【００５９】
まず、本実施例で用いる電子カメラ装置の構成は図２に示したデジタルカメラ３と同じハード構成でよく、以下、図２と同じ符号を用いて説明する。なお、以下のデジタルカメラ３のハードウエア構成の説明で図２と同様の機能及び構成を有する構成要素の説明は省略する。
【００６０】
本実施例では、ＤＲＡＭ１４は作業用メモリとして、通常撮影時には図８に示すようにシャッターチャンス遡及用バッファとして所定画像数分の画像バッファ領域Ｇｉ（ｉ＝１〜ｎ）が確保される。また、連続画像撮影時にも連続撮影する画像の個数より所定個数分多い画像バッファ領域Ｇｊ（ｊ＝１〜ｍ）が確保される。また、マルチ画面表示時にはｋ個の縮小画像を書込む画像バッファ領域や作業用領域が確保される。
【００６１】
また、制御部２０はＣＰＵ、ＲＡＭ、プログラム格納用ＲＯＭおよびタイマー等を有したマイクロプロセッサ構成を有しており、ＣＰＵは、上述の各回路および図示しない電源切換えスイッチ等にバスラインを介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の処理プログラムを取り出して、デジタルカメラ１００の各機能の実行制御、例えば、通常撮影や記録画像の再生機能の実行や、リモート撮影モード下でのシャッターチャンス遡及による撮像の実行等を行なう。
【００６２】
操作部３０は処理モード切替えスイッチ、機能選択用ボタン、メインスイッチ、処理モード選択ボタン３５、シャッターボタン３６、シャッターチャンス遡及ボタン３７および記録再生モード選択ボタン等のスイッチやボタンを構成部分としており、これらのスイッチ或いはボタンが操作されると状態信号が制御部２０に送出される。
【００６３】
表示部４０はビデオエンコーダ、ＶＲＡＭおよび液晶画面（ＬＣＤ）等から構成されており、撮像時のスルー画像および再生時の再生画像、処理選択時の選択用メニューやガイド（或いはアイコン）の表示等の他、シャッターチャンス遡及時には過去の画像を液晶画面上に表示する。
【００６４】
フラッシュメモリ５０は信号処理部１３からの画像データを記録する。また、フラッシュメモリ５０には画像データを記録する領域および画像データの記録時に当該画像の撮影モードや撮影条件等を登録する画像情報登録リスト（図示せず）を記録することもできる。なお、フラッシュメモリに代えて着脱可能なＩＣカードを用いるようにしてもよい。
【００６５】
図６はシャッターチャンス遡及方法の概要説明図である。ユーザがシャッターチャンスを逃したりシャッタータイミングを誤って、図６（ａ）に示すような画像２１６（以下、現在のスルー画像）が画面上に表示されたときにシャッター操作をしてしまった場合、ユーザが後述するようにシャッターチャンス遡及ボタン３７を操作してシャッターチャンス遡及モードに切替えると、図６（ｂ）に示すように所定時間分過去に戻った画像２０１（以下、過去のスルー画像）から順次スルー画像を所定の時間間隔で表示する。そして、ユーザがシャッターチャンスでシャッター操作を行なうと、図６（ｃ）に示すようなシャッターチャンスを得た画像２１０を得ることができる。
【００６６】
この場合、シャッターボタン３６を押した時点の画像２１６で過去のスルー画像表示を止めないで数秒前の（過去の）スルー画像を継続的に表示する。これによりシャッターチャンス前にシャッターボタン３６を押してしまったような場合にも対処することができる。なお、過去のスルー画像からシャッターボタン３６を押した時点の画像２１６（以下、現在のスルー画像）まで順次スルー画像を所定の時間間隔で表示するようにしてもよい。
【００６７】
上記シャッターチャンス遡及方法によればシャッターチャンスは表示される過去のスルー画像と現在のスルー画像との間にあるので、ユーザは表示される過去から現在に向うスルー画像の中からシャッターチャンスの画像を得ることができる。
【００６８】
また、上記シャッターチャンス遡及方法は１枚ずつ画像を撮像して記録するいわゆる通常撮影の場合のシャッタータイミングの見逃しやずれだけでなく、１シャッター動作で複数の画像を連続的に撮影する連写の開始タイミングがずれた場合などにも過去のスルー画像に戻って開始タイミングを得ることもできる。
【００６９】
また、本実施例ではデジタルカメラのスルー画像表示時間間隔を０．２秒とし、現在のスルー画像からの遡及限度時間を３秒、すなわち、スルー画像１６枚分の表示時間としたが、これに限定されずスルー画像表示時間間隔および遡及限度時間はデジタルカメラの性能や機種によって設計上適宜定められる値でよい。
【００７０】
図７はデジタルカメラ３の作業用メモリ（ＤＲＡＭ１４）の領域のレイアウトの一実施例の説明図であり、１フレームの大きさの画像を撮像する通常撮影モードの場合のレイアウト例である。図７で、ＤＲＡＭ１４上に確保された領域Ｇ１〜Ｇ１６は所定の時間間隔で取込まれるスルー画像データの記憶用領域である。また、記号１４１７で示されている領域は作業用領域であり、記号１４１８で示されている領域は予備領域である。
【００７１】
また、ユーザがデジタルカメラ１００の視野においた被写体像は光学系１１、信号変換部１２を経て信号処理部１３で画像データとされてＤＲＡＭ１４のＧｉ（ｉ＝１〜１６）に所定のタイミング（本実施例では０．２秒間隔）で循環記憶される。
【００７２】
図８はシャッターチャンス遡及とスルー画像の関係の説明図である。図８で、Ｇ１３はシャッター操作時のスルー画像に対応する画像データが記憶されている領域、Ｇ１６は現在（即ち、シャッター遡及操作時）のスルー画像に対応する画像データが記憶されている領域であり、Ｇ１は最も過去のスルー画像に対応する画像データが記憶されている領域である（この例では３秒前のスルー画像データが記憶されている）。また、Ｇ１０は所望のシャッターチャンスの画像データが記憶されている領域である。
【００７３】
なお、本実施例では、説明上、現在のスルー画像を領域Ｇ１６の画像、最も過去のスルー画像を領域Ｇ１の画像としたが、最も古い過去のスルー画像の領域および現在のスルー画像の領域を固定せずに順次シフトしていくようにしてもよい。
【００７４】
図９は通常撮影時のシャッターチャンス遡及処理を含む制御部２０の動作例を示すフローチャートである。なお、本実施例では被写体像の取込タイミングを０．２秒、遡及時間を３秒とした。
【００７５】
ルモート撮影モードで、デジタルカメラ３の視野に図２に示したように車が被写体として入ると、被写体像は光学系１１、信号変換部１２を経て信号処理部１３で画像データとされてＤＲＡＭ１４の領域Ｇｉ（ｉ＝１〜１６）に０．２秒間隔で順次記憶される（ステップＷ１）。
【００７６】
また、取込まれた画像データは信号処理部１３で間引き処理されて表示部４０の画面に０．２秒間隔で現在のスルー画像が表示される。この場合、スルー画像は極めて短い間隔で順次表示されるので動画的に表示されることとなる。これにより、ユーザは表示画面をファインダとして用いることができる（ステップＷ２）。
【００７７】
ここで、ユーザがシャッターチャンスを見計らって、携帯電話１から携帯電話２にダイヤルすると、遠隔制御判定部６０が図４に示した遠隔撮像制御動作（図４（ａ）、図４（ｂ）、図４（ｃ）のいずれかの動作）で、撮影タイミングをカメラに近接して置かれた携帯電話機の着信検知時に自動合焦を開始し、また、撮影タイミングの有無を判定して撮影タイミングが到来するとシャッターを動作させて撮像を行う（ステップＷ３）。撮像後、制御部２０は撮像した画像の静止画像を表示部４０に表示する（ステップＷ４）。
【００７８】
ユーザは携帯電話を利用した遠隔撮像が終了すると、離れた位置にあるカメラ３０を手にとって表示された静止画像が所望のシャッターチャンスのものか否かを調べ、シャッターチャンスを誤ったと感じた場合にはシャッターチャンス遡及ボタン３７を操作し、画面に表示された静止画像が所望のシャッターチャンスのものの場合にはシャッターボタン３６を操作するので、制御部２０は状態信号を調べ、シャッターチャンス遡及ボタン３７が操作された場合はステップＷ６に進み、シャッターボタン３６が操作された場合はステップＷ９に進む（ステップＷ５）。
【００７９】
上記ステップＷ５でシャッターチャンス遡及ボタン３７が操作された場合には、シャッターチャンス遡及ボタン３７の操作の時点に表示されている画像から３秒遡った最も過去のスルー画像から順次過去のスルー画像が表示される（ステップＷ６）。
【００８０】
ユーザが過去のスルー画像を見てシャッターボタン３６を押し下げ操作すると、その時点に表示されていたスルー画像が撮像処理されステップＳ８に進む。また、ユーザがシャッター操作をしない場合はステップＷ６に戻って過去のスルー画像の表示を行なう（ステップＷ７）。
【００８１】
上記ステップＷ７でシャッター押し下げ操作が行なわれると、制御部２０はＤＲＡＭ１４のＧ１に取込まれている最も古い過去の画像（実施例では３秒前の画像）データを取り出して表示部４０に送って、その静止画像を表示部４０の画面に表示してから、ステップＷ９に遷移する（ステップＷ８）。
【００８２】
上記ステップＷ７で、ユーザが接点位置３１に押し下げたシャッターボタン３６を元の位置まで戻すと、制御部２０は表示された静止画像をシャッターチャンスのものとして、上記ステップＷ８で取り出された過去の画像データを信号処理部１３に送って圧縮処理を施し、フラッシュメモリ５０に記録する。上記動作により、リモート撮影モードの場合にシャッターチャンスを見逃したり誤ったりしても所望のシャッターチャンスに遡及して画像を記録することができる。
【００８３】
９．応用例２
デジタルカメラ等の電子カメラ装置では、通常、表示装置に表示されるスルー画像（又は撮影画像）の解像度は記録媒体に記録保存される撮影画像の解像度より低いので、記録画像より鮮明度が低い画像として表示される。
【００８４】
前述した遠隔撮影方法（図４）では撮影タイミングをカメラに近接して置かれた携帯電話機の着信検知時に撮影タイミングの有無を判定して撮影タイミングが到来するとシャッターを動作させて撮像を行うようにしているが、カメラを定置する時点で表示装置に表示されるスルー画像からはユーザがピンボケやズレが判断できない場合がある。
【００８５】
本実施例は、そのような場合にフォーカス部分または被写体全体を拡大してピントやブレ等の画像状態を確認して画像状態を調整してから携帯電話を用いた遠隔撮像を行うことにより良好な画像状態の画像を得ることができる遠隔撮影方法及び電子カメラ装置に係わる。
【００８６】
まず、本実施例で用いる電子カメラ装置の構成は図２に示したデジタルカメラ３と同じハード構成でよく、以下、図２と同じ符号を用いて説明する。なお、以下のデジタルカメラ３のハードウエア構成の説明で図２と同様の機能及び構成を有する構成要素の説明は省略する。
【００８７】
制御部２０は、ＣＰＵ、ＲＡＭおよびＲＯＭを有しており、ＣＰＵは、上述の各回路および図示しない電源切換えスイッチ等にバスラインを介して接続し、ＲＯＭに格納されている制御プログラムによりデジタルカメラ３０全体の制御を行なうと共に、操作部３０からの状態信号に対応してデジタルカメラ３の各機能の実行制御、例えば、ＲＯＭ内に格納された各モード処理手段の実行による各モード処理の実行制御や、本発明に基づく遠隔撮像制御や、スルー画像や撮影画像のフォーカス位置の拡大表示等を実行する。ＲＡＭはＣＰＵが各種の処理を実行する上で必要なプログラムおよびデータ等を適宜記憶する。
【００８８】
操作部３０は、ルモート撮影モード設定ボタン３５、シャッターボタン３６、フォーカス位置調整ボタン３８、フォーカス位置拡大ボタン３９の他に、各種機能ボタンやカーソル移動ボタン、電源スイッチ等の各種ボタンや入力キーを備えており、ユーザによって操作されると、対応の信号をＣＰＵ２１に送出する。
【００８９】
本実施例では電子カメラ装置は、記録モードでフォーカス位置を部分的に拡大して表示することにより、簡単にピント確認やブレ等の画像状態の確認を行なうことができる。なお、以下の実施例ではフォーカス位置としてマニュアルフォーカス或いはオートフォーカス時に表示部４０に合焦確認のためのフォーカス枠を表示するようにし、そのフォーカス枠相当部分をフォーカス位置としている。
【００９０】
図１０はフォーカス確認時のデジタルカメラ３の動作例を示すフローチャートである。マニュアルフォーカスは記録モードで表示されるスルー画像を見て行なうユーザのフォーカス調整ボタン３８の操作によってなされる。また、フォーカス確認は拡大表示されるスルー画像のフォーカス位置を基にユーザが行なう。なお、図１１はマニュアルフォーカス時に表示されるスルー画像および拡大スルー画像の説明図である。
【００９１】
図１０で、ユーザがデジタルカメラ３に設けられた処理モード切換えスイッチを「記録モード」側に切換えると、制御部２０にその旨の状態信号が送られる。制御部２０は受け取った状態信号が記録モード実行を意味する場合には被写体像の取り込みを開始する（ステップＸ１）。
【００９２】
ＣＣＤから周期的にＤＲＡＭ１４に取り込んでくる１フレーム分の画像データが図１１（ａ）に示すように表示部４０の画面上にスルー画像表示される。これによりユーザは画像全体の構図や色合等を見てデジタルカメラ３を移動させてアングル調整を行なうことができる。なお、画面中央にはフォーカス確認用の矩形枠８１が表示される。表示部４０の画面上にはユーザが撮像レンズ１１１を介してモニターしている画像（スルー画像）８０が表示される。この場合、リアルタイムに被写体像を表示する必要上、スルー画像用データを、例えば、ＤＲＡＭ１４に記憶された画像データのうち、Ｙｅ成分のみを用いて輝度データと色差データを生成して、ビデオデータとし表示部４０に表示する。これにより撮像レンズ１を介した時々刻々と変化する画像（すなわち、スルー画像）を迅速に更新し、表示することが可能になる。また、ユーザは構図が不満な場合にはカメラのアングルを変えて構図を直すことができる（ステップＸ２）。
【００９３】
ユーザがフォーカス位置拡大ボタン３９を押すと、ＲＯＭに格納されているプログラムモジュールのうちのフォーカス位置拡大表示プログラムが読み出される（ステップＸ３）。
【００９４】
上記ステップＸ２で表示されているスルー画像のフォーカス位置（画面中央のフォーカス枠８１内に相当する部分）の拡大表示が開始される。なお、フォーカス位置拡大画像８２を画面の一部分に表示される場合の表示位置は図１１（ｂ）に示すようにフォーカス位置を中心としてもよいし、図１１（ｂ’）に示すように画面の所定の場所（例えば、４隅のいずれか）としてもよい。
【００９５】
具体的には、画面の中心（ｉ，ｊ）を囲む矩形｛（ｉ−Δａ，ｊ＋Δｂ）、（ｉ＋Δａ，ｊ＋Δｂ）、（ｉ−Δａ，ｊ−Δｂ）、（ｉ＋Δａ，ｊ−Δｂ）で示したフォーカス枠８１（図１１（ａ））の内部がフォーカス位置拡大表示プログラムにより拡大されて拡大画像８２として表示される（ステップＸ４）。
【００９６】
ユーザはスルー画像或いはフォーカス位置の拡大画像８２（または８３）を見てピントを確認し、ピントが合っていない場合にはステップＸ６に進み、ピントが合った場合にはステップＸ７に進む（ステップＸ５）。
【００９７】
ピントが合っていない場合は、ユーザはフォーカス調整用ボタン３８を操作して合焦機構１１２にフォーカス調整指示を与え、ステップＸ３に戻る（ステップＸ６）。また、ピントが合っている場合は、撮影者はカメラ装置を定置してカメラから離れ、撮影指示位置に戻って、携帯電話機１から携帯電話機２にダイヤルすると、遠隔制御判定部６０が図４に示した遠隔撮像制御動作（図４（ａ）、図４（ｂ）、図４（ｃ）のいずれかの動作）で、撮影タイミングをカメラに近接して置かれた携帯電話機の着信検知時に自動合焦を開始し、また、撮影タイミングの有無を判定して撮影タイミングが到来するとシャッターを動作させて撮像を行ない、ステップＸ８に進む（ステップＸ７）。制御部２０は画像データに圧縮処理を施し、フラッシュメモリ５０に記録する。１画像分の画像データの書込が終ると処理を終了する（ステップＸ８）。
【００９８】
上記図１０のステップＸ３〜Ｘ６で、スルー画像のピント位置を拡大表示することにより、画像のモニター段階でピント合せができるので従来のデジタルカメラのように再生、拡大、撮直しといった煩わしさが解消される。なお、本実施例では、拡大表示する画像部分を画面中心としたが、ステップＸ６のピント合わせ操作によりピントが合う位置が変化していくので、このピントが合った位置を拡大表示するようしにてもよい。このようにすれば、フォーカス位置を任意に決定することができ、ユーザは所望の画像部分が拡大表示され、ピントが合っていることを確認した後、シャッター操作を行なうことができる。
【００９９】
１０．変形例
上記各実施例では、撮影者の所持する携帯電話機１（第１の携帯電話機）からカメラに近接して置かれた携帯電話機２（第２の携帯電話機）にダイヤルすることにより、カメラに撮像を行わせる例について述べたが、携帯電話機を利用しての遠隔撮像のトリガは携帯電話機１から携帯電話機２へのダイヤルに限定されない。例えば、携帯電話機１から携帯電話機２へメールを送り、メールの種類によってカメラを動作させるようにしてもよい。また、カメラの動作はシャッター動作に限定されない。
【０１００】
以上、本発明のいくつかの実施例について説明したが本発明は上記各実施例に限定されるものではなく、種々の変形実施が可能であることはいうまでもない。
【０１０１】
【発明の効果】
上記説明したように、本発明によれば、日常一般的に持ち歩いている携帯電話を用いてカメラの遠隔撮影を実現することができる。
【図面の簡単な説明】
【図１】本発明の遠隔撮影方法の説明図である。
【図２】本発明の電子カメラ装置の一実施例の構成例を示すブロック図である。
【図３】遠隔制御判定部の構成例を示すブロック図である。
【図４】撮影タイミング判定部の動作例を示すフローチャートである。
【図５】制御部から制御信号及び撮像指示信号を受け取った撮像部側の動作例を示すフローチャートである。
【図６】本発明のシャッターチャンス遡及方法の概要説明図である。
【図７】デジタルカメラの作業用メモリの領域のレイアウトの一実施例の説明図である。
【図８】シャッターチャンス遡及とスルー画像の関係の説明図である。
【図９】シャッターチャンス遡及処理を含む制御部の動作例を示すフローチャートである。
【図１０】フォーカス確認時のデジタルカメラの動作例を示すフローチャートである。
【図１１】マニュアルフォーカス時に表示されるスルー画像および拡大スルー画像の説明図である。
【符号の説明】
１  携帯電話機（携帯端末）
３  デジタルカメラ（電子カメラ装置）
２０  制御部（撮像指示制御手段、カウントダウン手段、自動合焦機構制御手段）
３５  ルモート撮影モード設定ボタン
３６  シャッターボタン
３７  シャッターチャンス遡及ボタン
３８  フォーカス位置調整ボタン
３９  フォーカス位置拡大ボタン
４０  表示部
１０１  撮像部
１０２  本体
１１１  撮像レンズ
１１２  自動合焦機構
１１３  シャッター駆動部
【図１】
2004214862.tif 000003
【図２】
2004214862.tif 000004
【図３】
2004214862.tif 000005
【図４】
2004214862.tif 000006
【図５】
2004214862.tif 000007
【図６】
2004214862.tif 000008
【図７】
2004214862.tif 000009
【図８】
2004214862.tif 000010
【図９】
2004214862.tif 000011
【図１０】
2004214862.tif 000012
【図１１】
2004214862.tif 000013